(57)【要約】【課題】地図画面表示中に、楽曲に関連する情報及び楽曲再生状態を直感的に判別可能に表示することである。【解決手段】地図画面を表示する表示部２２と、操作入力を受け付ける操作部２１と、楽曲に関連する画像を示す設定データと、前記画像の画像データと、が記憶されているＨＤＤ４０と、楽曲データにより楽曲を再生するデコーダ部８０及びスピーカ部９０と、前記地図画面の表示中に楽曲の再生をするときに、当該再生する楽曲をデコーダ部８０及びスピーカ部９０で再生させるとともに、前記記憶された設定データに応じて、当該楽曲に関連する画像の画像データをＨＤＤ４０から読み出し、当該画像データの画像を前記地図画面に重畳して表示部２２に表示させる制御部１０と、を備える。【選択図】図１
2010043968.tif 000002
【特許請求の範囲】
【請求項１】
地図画面を表示する表示部と、
操作入力を受け付ける操作部と、
楽曲に関連する画像を示す設定データと、前記画像の画像データと、が記憶されている記憶部と、
楽曲データにより楽曲を再生する再生部と、
前記地図画面の表示中に楽曲の再生をするときに、当該再生する楽曲を前記再生部で再生させるとともに、前記記憶された設定データに応じて、当該楽曲に関連する画像の画像データを前記記憶部から読み出し、当該画像データの画像を前記地図画面に重畳して前記表示部に表示させる制御部と、を備えるナビゲーション装置。
【請求項２】
記録媒体から画像データを入力する入力部を備え、
前記記憶部に記憶された画像データは、予め用意された画像データと、前記入力部により入力された任意の画像データと、の少なくとも一つである請求項１に記載のナビゲーション装置。
【請求項３】
前記制御部は、前記楽曲に関連する画像を半透過で前記地図画面に重畳して前記表示部に表示させる請求項１又は２に記載のナビゲーション装置。
【請求項４】
前記制御部は、前記楽曲に関連する画像を動的表現で前記地図画面に重畳して前記表示部に表示させる請求項１から３のいずれか一項に記載のナビゲーション装置。
【請求項５】
前記操作部は、画像の表示位置及び表示サイズの少なくとも一つの設定入力を受け付け、
前記制御部は、前記操作部に入力された表示位置及び表示サイズの少なくとも一つで、前記楽曲に関連する画像を前記地図画面に重畳して前記表示部に表示する請求項１から４のいずれか一項に記載のナビゲーション装置。
【請求項６】
前記操作部は、画像の表示タイミング及び表示時間の少なくとも一つの設定入力を受け付け、
前記制御部は、前記操作部に入力された表示タイミング及び表示時間の少なくとも一つで、前記楽曲に関連する画像を前記地図画面に重畳して前記表示部に表示する請求項１から５のいずれか一項に記載のナビゲーション装置。
【請求項７】
前記操作部は、画像の表示又は非表示の設定入力を受け付け、
前記制御部は、前記操作部に画像の表示が入力された場合に、前記楽曲に関連する画像を前記地図画面に重畳して前記表示部に表示し、前記操作部に前記画像の非表示が入力された場合に、前記楽曲に関連する画像を表示しない請求項１から６のいずれか一項に記載のナビゲーション装置。
【請求項８】
前記操作部は、前記表示部の表示画面上のタッチ入力を受け付け、
前記制御部は、前記操作部により前記楽曲に関連する画像が表示された位置にタッチ入力された場合に、当該画像のタッチ入力に対応する処理を実行する請求項１から７のいずれか一項に記載のナビゲーション装置。
【請求項９】
前記楽曲に関連する画像のタッチ入力に対応する処理は、当該画像の詳細情報を有する楽曲詳細情報表示画面を前記表示部に表示させる処理である請求項８に記載のナビゲーション装置。
【請求項１０】
コンピュータを、
地図画面を表示する表示部、
操作入力を受け付ける操作部、
楽曲に関連する画像を示す設定データと、前記画像の画像データと、が記憶されている記憶部、
楽曲データにより楽曲を再生する再生部、
前記地図画面の表示中に楽曲の再生をするときに、当該再生する楽曲を前記再生部で再生させるとともに、前記記憶された設定データに応じて、当該楽曲に関連する画像の画像データを前記記憶部から読み出し、当該画像データの画像を前記地図画面に重畳して前記表示部に表示させる制御部、
として機能させるためのプログラム。
【発明の詳細な説明】
【技術分野】
【０００１】
本発明は、ナビゲーション装置及びプログラムに関する。
【背景技術】
【０００２】
従来、車両に搭載されて目的地までの経路案内を行うナビゲーション装置が知られている。また、ＣＤ（Compact Disc）等のオーディオディスク、ＨＤＤ（Hard Disk Drive）、ＵＳＢ（Universal Serial Bus）メモリ等のストレージメディア内に記憶された楽曲データを用いた楽曲再生機能を有するナビゲーション装置が知られている。
【０００３】
楽曲再生機能を有するナビゲーション装置においては、地図画面を表示してのナビゲーション機能動作中に、楽曲再生を行うことが多かった。よって、ユーザの利便性を高めるため、再生中の楽曲種別、再生動作状態の情報を地図画面に重畳表示するナビゲーション装置が考えられている（例えば、特許文献１参照）。この再生中の楽曲の情報の内容の具体例としては、楽曲のタイトル、トラック番号、タイムコード（再生時間）、再生状態（再生中、一時停止中）があった。
【特許文献１】特開２００４−１３２７４１号公報
【発明の開示】
【発明が解決しようとする課題】
【０００４】
しかし、従来の楽曲再生機能を有するナビゲーション装置では、地図画面に重畳する再生中の楽曲の情報は、文字表記により表現されていた。このため、より直感的に判別可能な情報の表示要請がある。
【０００５】
また、再生中の楽曲の情報が文字表記であると、車両走行中に再生中の楽曲の情報を運転者が注視するおそれがあるため、より高い安全性が求められている。
【０００６】
本発明の課題は、地図画面表示中に、楽曲に関連する情報及び楽曲再生状態を直感的に判別可能に表示することである。
【課題を解決するための手段】
【０００７】
上記課題を解決するため、本発明のナビゲーション装置は、
地図画面を表示する表示部と、
操作入力を受け付ける操作部と、
楽曲に関連する画像を示す設定データと、前記画像の画像データと、が記憶されている記憶部と、
楽曲データにより楽曲を再生する再生部と、
前記地図画面の表示中に楽曲の再生をするときに、当該再生する楽曲を前記再生部で再生させるとともに、前記記憶された設定データに応じて、当該楽曲に関連する画像の画像データを前記記憶部から読み出し、当該画像データの画像を前記地図画面に重畳して前記表示部に表示させる制御部と、を備える。
【０００８】
好ましくは、記録媒体から画像データを入力する入力部を備え、
前記記憶部に記憶された画像データは、予め用意された画像データと、前記入力部により入力された任意の画像データと、の少なくとも一つである。
【０００９】
また、好ましくは、前記制御部は、前記楽曲に関連する画像を半透過で前記地図画面に重畳して前記表示部に表示させる。
【００１０】
また、好ましくは、前記制御部は、前記楽曲に関連する画像を動的表現で前記地図画面に重畳して前記表示部に表示させる。
【００１１】
また、好ましくは、前記操作部は、画像の表示位置及び表示サイズの少なくとも一つの設定入力を受け付け、
前記制御部は、前記操作部に入力された表示位置及び表示サイズの少なくとも一つで、前記楽曲に関連する画像を前記地図画面に重畳して前記表示部に表示する。
【００１２】
また、好ましくは、前記操作部は、画像の表示タイミング及び表示時間の少なくとも一つの設定入力を受け付け、
前記制御部は、前記操作部に入力された表示タイミング及び表示時間の少なくとも一つで、前記楽曲に関連する画像を前記地図画面に重畳して前記表示部に表示する。
【００１３】
また、好ましくは、前記操作部は、画像の表示又は非表示の設定入力を受け付け、
前記制御部は、前記操作部に画像の表示が入力された場合に、前記楽曲に関連する画像を前記地図画面に重畳して前記表示部に表示し、前記操作部に前記画像の非表示が入力された場合に、前記楽曲に関連する画像を表示しない。
【００１４】
また、好ましくは、前記操作部は、前記表示部の表示画面上のタッチ入力を受け付け、
前記制御部は、前記操作部により前記楽曲に関連する画像が表示された位置にタッチ入力された場合に、当該画像のタッチ入力に対応する処理を実行する。
【００１５】
また、好ましくは、前記楽曲に関連する画像のタッチ入力に対応する処理は、当該画像の詳細情報を有する楽曲詳細情報表示画面を前記表示部に表示させる処理である。
【００１６】
また、本発明のプログラムは、
コンピュータを、
地図画面を表示する表示部、
操作入力を受け付ける操作部、
楽曲に関連する画像を示す設定データと、前記画像の画像データと、が記憶されている記憶部、
楽曲データにより楽曲を再生する再生部、
前記地図画面の表示中に楽曲の再生をするときに、当該再生する楽曲を前記再生部で再生させるとともに、前記記憶された設定データに応じて、当該楽曲に関連する画像の画像データを前記記憶部から読み出し、当該画像データの画像を前記地図画面に重畳して前記表示部に表示させる制御部、
として機能させる。
【発明の効果】
【００１７】
本発明によれば、地図画面表示中に、楽曲に関連する情報及び楽曲再生状態を直感的に判別可能に表示できる。
【発明を実施するための最良の形態】
【００１８】
以下、添付図面を参照して本発明に係る実施の形態を詳細に説明する。ただし、発明の範囲は、図示例に限定されない。
【００１９】
本実施の形態のナビゲーション装置１の装置構成を説明する。図１に、本実施の形態のナビゲーション装置１の内部構成を示す。ナビゲーション装置１は、車両に搭載されて目的地までの経路案内を行う装置であり、そのナビゲーション時等の地図表示中に楽曲再生を行う楽曲再生機能を有する。
【００２０】
図１に示すように、ナビゲーション装置１は、制御部１０と、操作表示部２０と、ナビゲーション部３０と、記憶部としてのＨＤＤ４０と、入力部としてのディスクドライブ５０、通信接続部６０と、計時部７０と、再生部としてのデコーダ部８０、スピーカ部９０と、を備えて構成される。ナビゲーション装置１において、スピーカ部９０以外の各部がバス１００に接続されている。
【００２１】
制御部１０は、ナビゲーション装置１の各部を中央制御する。制御部１０は、ＣＰＵ（Central Processing Unit）、ＲＡＭ（Random Access Memory）を有する。制御部１０において、ＨＤＤ４０に記憶されたシステムプログラム、アプリケーションプログラムの中から指定されたプログラムが読み出されてＲＡＭに展開され、その展開されたプログラムとＣＰＵとの協働で、当該プログラムの処理が実行される。
【００２２】
制御部１０は、ナビゲーション時に、ナビゲーション部３０から入力された情報及びＨＤＤ４０に記憶されている地図データ４５に基づいて、車両の現在位置と地図画像の道路形状とをマッチングさせて、表示部２２に地図画面を表示させるとともに、その地図画面上に車両の現在位置のマーク、目的地への経路等を表示させる。また、制御部１０は、ナビゲーション時以外でも、表示部２２に、地図画面、車両の現在位置マークを表示させることが可能である。以下、このナビゲーション時又はそれ以外に表示される地図画像を含む画面を地図画面と称す。
【００２３】
制御部１０は、後述する表示画像設定プログラムに基づいて、楽曲再生時に表示する画像に関する画像表示設定データを作成しＨＤＤ４０に画像表示設定データ４４として記憶する。また、制御部１０は、後述する楽曲再生プログラムに基づいて、地図画面が表示部２２に表示されている場合に、ユーザの楽曲再生操作に応じて、ＨＤＤ４０等に記憶された楽曲データを読み出して楽曲再生するとともに、その再生する楽曲に関連する画像を地図画面上に重畳表示する。
【００２４】
操作表示部２０は、操作部２１と、表示部２２と、を備えて構成される。操作部２１は、複数の操作ボタンを有して構成され、また表示部２２の表示画面に重畳され、一体的にタッチパネルとして構成される。タッチパネルの方式としては、抵抗膜方式、静電容量方式等がある。操作部２１は、ユーザによるボタン押下入力及びタッチ操作入力を受け付け、その操作情報を制御部１０に出力する。表示部２２は、ＬＣＤ（Liquid Crystal Display）等の表示装置であり、制御部１０からの表示信号に従って各種表示情報を表示する。
【００２５】
ナビゲーション部３０は、ＧＰＳ（Global Positioning System）ユニット及び自律航法ユニット等を備える。ＧＰＳユニットは、ＧＰＳアンテナ３０ａを有し、ＧＰＳアンテナ３０ａを介して、地球低軌道に打ち上げられた複数のＧＰＳ衛星のうちの少なくとも３個のＧＰＳ衛星から送信されるＧＰＳ信号を受信する。ＧＰＳユニットは、受信されたＧＰＳ信号に基づいて、車両の現在位置（緯度、経度）を検出してＣＰＵ１に出力する。自律航法ユニットは、角度センサ、距離センサ等を備えている。角度センサは、車両の角速度を検出して、移動方位の変化量を算出する。距離センサは、車輪の回転に応じて出力されるパルス信号を検出して、車両の移動量を算出する。自律航法ユニットは、これら角速度信号及びパルス信号により、車両の相対的な位置変化を算出して制御部１０に出力する。
【００２６】
ＨＤＤ４０は、磁気記録媒体を有し、制御部１０の制御により、各種プログラム及び各種データを当該磁気記録媒体から読み出し、又は当該磁気記録媒体へ書き込む。ＨＤＤ４０は、画像表示設定プログラム、楽曲再生プログラムが記憶されている。
【００２７】
また、ＨＤＤ４０は、メタデータＤＢ（DataBase）４１、楽曲ＤＢ４２、画像ＤＢ４３、画像表示設定データ４４、地図データ等のデータが記憶されている。メタデータＤＢ４１は、楽曲ＤＢ４２の各楽曲データに関するメタデータを格納するＤＢである。メタデータＤＢ４１は、例えば、楽曲ＤＢ４２の各楽曲データ（ファイル）名と、各楽曲の楽曲名（タイトル）、アーティスト名、アルバム名、トラック番号、演奏時間等のデータと、が紐付けられたメタデータを含む。
【００２８】
楽曲ＤＢ４２は、各楽曲データを格納するＤＢである。楽曲ＤＢ４２は、楽曲データ（ファイル）名を有する楽曲データ（ファイル）を含む。楽曲データは、ＭＰ３（MPEG（Moving Picture Experts Group）-1 Audio Layer-3）、ＷＭＡ（Windows（登録商標） Media Audio）等のデータ（ファイル）である。ＭＰ３、ＷＭＡ等の楽曲データファイルには、タグ情報が書き込み可能である。例えば、ディスクドライブ５０にセットされたオーディオディスクから入力される楽曲データは、メタデータＤＢ４１に、対応する楽曲のメタデータがあれば、それらの楽曲データがＭＰ３ファイルとして変換されるとともに、そのメタデータがタグ情報に書き込まれる。
【００２９】
画像ＤＢ４３は、画像データ（ファイル）名を有する画像データを格納するＤＢである。この画像データは、楽曲ＤＢ４２の各楽曲データの楽曲を端的に表現する画像であって、当該各楽曲に関連する画像の画像データである。画像ＤＢ４３の画像データは、例えば、ＪＰＥＧ（Joint Photographic Experts Group）、ＢＭＰ（BitMaP）、ＧＩＦ（Graphics Interchange Format）、又はＰＮＧ（Portable Network Graphics）のフォーマットの画像データ（ファイル）である。画像ＤＢ４３の画像データは、予め用意されたデフォルトの画像データと、ユーザによりディスクドライブ５０又は通信接続部６０を介してオーディオディスク、外部記録媒体又は外部端末機器から入力される任意の画像データと、の少なくとも一つを含む。
【００３０】
画像ＤＢ４３のデフォルトの画像データは、例えば、楽曲のジャンル別に用意される画像の画像データである。画像ＤＢ４３の任意の画像データは、例えば、楽曲が含まれるアルバムのジャケット写真画像、アーティスト、作曲者若しくは作詞者の肖像写真画像、又はその楽曲が想起されるような何らかのイメージ画像の画像データである。
【００３１】
画像表示設定データ４４は、楽曲に関連する画像の表示に関する設定データである。画像表示設定データ４４は、楽曲ＤＢ４２の楽曲データ（ファイル）名と、楽曲ＤＢ４２の画像データ（ファイル）名と、を紐付けた設定データを含む。また、画像表示設定データ４４は、画像表示条件に関する設定データを含み、表示／非表示、表示画像サイズ、表示位置、表示タイミング、表示時間、半透過表示の有無、動的表現の表示種類及びその表示有無等、の設定データを含む。
【００３２】
地図データ４５は、ナビゲーション等における地図画面表示に用いる地図画像データである。
【００３３】
ディスクドライブ５０は、制御部１０の制御により、セットされたディスクに記憶されたデータを読み出す装置である。ディスクドライブ５０は、例えば、ＣＤ、ＭＤ（Mini Disc）、ＤＶＤ（Digital Versatile Disc）方式でディスクのデータを読取る。ディスクドライブ５０は、例えば、ＣＤ等のオーディオディスクがセットされ、オーディオディスクに記憶された楽曲データを読み出し、その楽曲データが楽曲再生に用いられる。また、制御部１０の制御により、ディスクドライブ５０にセットされたディスクに記憶されたメタデータ、楽曲データ、画像データ、地図データが読み出されて、それぞれ、ＨＤＤ４０のメタデータＤＢ４１、楽曲ＤＢ４２、画像ＤＢ４３、地図データ４５に記憶される。
【００３４】
通信接続部６０は、接続された外部機器との通信を仲介するインタフェースである。通信接続部６０は、例えば、ＵＳＢ（Universal Serial Bus）方式のインタフェースである。通信接続部６０は、例えば、ＵＳＢメモリ等の外部記録媒体、又は携帯式楽曲プレーヤ等の外部端末機器と接続され、接続された外部記録媒体又は外部端末機器との通信を介する。また、制御部１０により、通信接続部６０に接続された外部記録媒体又は外部端末機器に記憶されたメタデータ、楽曲データ、画像データ、地図データが読み出されて、ＨＤＤ４０のメタデータＤＢ４１、楽曲ＤＢ４２、画像ＤＢ４３、地図データ４５に記憶されることとしてもよい。
【００３５】
計時部７０は、制御部１０の制御により、予め設定された画像表示時間のタイマー値（例えば、５秒間）が設定されるとともに、カウント開始時点からの経過時間を計時し、経過時間が当該タイマー値に達した時、計時が終了した旨を通知する終了信号を制御部１０に出力する。
【００３６】
デコーダ部８０は、制御部１０の制御により、入力された楽曲データを復号化し、楽曲信号としてスピーカ部９０に出力する。デコーダ部８０には、ＨＤＤ４０の楽曲ＤＢ４２に格納された楽曲データ、ディスクドライブ５０にセットされたオーディオディスクから読み出された楽曲データ、又は通信接続部６０に接続された外部記録媒体若しくは外部端末装置から読み出された楽曲データが入力される。
【００３７】
スピーカ部９０は、増幅回路（図示略）を有し、デコーダ部８０から入力された楽曲信号を当該増幅回路で増幅し、外部に音声出力する。
【００３８】
次に、図２〜図７を参照して、ナビゲーション装置１の動作を説明する。先ず、図２を参照して、再生中の楽曲に関連する画像が重畳される地図画面の一例を説明する。図２に、楽曲画像部２２０が重畳された地図画面２００を示す。
【００３９】
ナビゲーション装置１において、ナビゲーション中又はそれ以外に表示部２２に地図画面が表示され、操作部２１によりユーザからの楽曲再生操作を受け付けると、その再生対象の楽曲を再生するとともに、再生中の楽曲に関連する画像データが地図画面上に重畳表示される。
【００４０】
一例として、楽曲ａａａがアルバムAlbum1に収められており、楽曲ａａａの再生時に、アルバムAlbum1のジャケット写真画像を地図画面上に表示する場合を考える。図２に示すように、地図画面２００は、地図画像部２１０と、楽曲画像部２２０と、を有する。楽曲画像部２２０は、画像２２１と、再生状態マーク２２２と、タイムコード２２３と、画像消去ボタン２２４と、を含む。
【００４１】
地図画像部２１０は、車両の現在位置周辺の地図画像の表示部分であり、車両の現在位置の住所等の情報を含む。地図画像部２１０は、ナビゲーション時には、目的地への案内情報（経路、目的地への方向）等が表示されるとともに、適宜、一部領域の拡大画像、右折、左折指示の画像等が重畳表示される。
【００４２】
楽曲画像部２２０は、再生中の楽曲に関連する画像の表示部分であり、地図画像部２１０に重畳されている。画像２２１は、再生中の楽曲に関連する画像であり、ＨＤＤ４０の楽曲ＤＢ４２から選択された画像データの画像である。再生状態マーク２２２は、楽曲の再生状態を示すマークであり、図２のような再生マークや、一時停止、早送り、巻き戻しのマークがある。タイムコード２２３は、楽曲の再生時間を示す。
【００４３】
また、楽曲画像部２２０は、操作ボタンとして機能する。画像消去ボタン２２４は、そのタッチ入力により、表示中の楽曲画像部２２０を消去するための操作ボタンとして機能する。また、画像消去ボタン２２４以外の楽曲画像部２２０は、そのタッチ入力により、再生中の楽曲の楽曲詳細表示画面を表示するための操作ボタンとして機能する。
【００４４】
次いで、図３〜図５を参照して、ナビゲーション装置１で実行される画像表示設定処理を説明する。図３に、画像表示設定処理の流れを示す。図４に、半透過の楽曲画像部３３０が重畳された地図画面３００を示す。図５（ａ）〜図５（ｅ）に、地図画像４１０上で段々大きくなる半透過の画像４２０を示す。
【００４５】
画像表示設定処理は、楽曲再生時の画像表示に関する画像表示設定データを作成してＨＤＤ４０に記憶する処理である。画像表示設定処理の前に予め、ディスクドライブ５０にセットされたＣＤ等の外部記録媒体、又は通信接続部６０に接続された外部記録媒体若しくは外部携帯端末から、楽曲データ、そのメタデータ及び任意の画像データが入力され、それぞれ、ＨＤＤ４０のメタデータＤＢ４１、楽曲ＤＢ４２、画像ＤＢ４３に格納されているものとする。メタデータは、操作部２１によりユーザからの操作入力が受け付けられ、その操作入力に応じてメタデータが作成（編集）されてメタデータＤＢ４１に記憶されるものとしてもよい。
【００４６】
ナビゲーション装置１において、例えば、操作部２１によりユーザからの画像表示設定処理の実行指示の操作入力が受け付けられたことをトリガとして、制御部１０により、ＨＤＤ４０から適宜読み出された画像表示設定プログラムに基づいて、画像表示設定処理が実行される。
【００４７】
先ず、画像表示設定画面が表示部２２に表示され、操作部２１により、ユーザから、画像表示に関する設定情報の操作入力が受け付けられる（ステップＳ１）。そして、ステップＳ１において操作入力された設定情報から画像表示設定データが作成され、画像表示設定データ４４としてＨＤＤ４０に記憶され（ステップＳ２）、画像表示設定処理が終了する。
【００４８】
ステップＳ１の設定情報は、ある楽曲の楽曲データ（ファイル）名と、その楽曲再生時に表示したい画像の画像データ（ファイル）名と楽曲データ（ファイル）名とを紐付ける情報が含まれる。
【００４９】
ステップＳ１の設定情報は、画像（楽曲画像部）の表示／非表示の設定情報を含む。表示／非表示の設定情報は、全ての楽曲に一律に適用される設定情報としてもよい。また、表示／非表示の設定情報は、楽曲等、アルバム毎、ジャンル毎、又はこれらの組み合わせ等、任意の単位で画像の表示／非表示の設定が可能である設定情報としてもよい。
【００５０】
また、ステップＳ１の設定情報情報は、画像表示条件情報が含まれる。画像表示条件情報は、地図画面上の画像の表示位置及び表示サイズを含む。例えば、図２に示すように、地図画面２００において、楽曲画像部２２０が、地図画像部２１０の必要情報の表示を妨げなく、また画像内容を認識可能な画像２２１の表示位置及び表示サイズが設定されることが好ましい。
【００５１】
また、ステップＳ１の設定情報は、画像（楽曲画像部）の表示条件情報として表示タイミング及び表示時間の設定情報を含む。例えば、図２に示すように、地図画面２００において、表示タイミングとして、楽曲再生開始と同時に、その楽曲に関連する画像２２１を表示する設定とし、表示時間として、５秒間経過すると、表示中の画像２２１を自動的に消去する設定とする。しかし、これらに限定されるものではなく、楽曲再生から所定時間経過後に画像を表示する等、他の表示タイミングに設定したり、楽曲が終了するまで画像を表示する等、他の表示時間に設定してもよい。
【００５２】
また、ステップＳ１の設定情報は、画像（楽曲画像部）の表示条件情報として、画像の表示表現情報を含む。例えば、図２に示すように、地図画面２００において、楽曲画像部２２０が、地図画像部２１０の上に透過なく重畳されるように表示表現情報が設定される。
【００５３】
また、表示表現情報を、画像を半透過に表示する設定情報としてもよい。半透過の表示とは、図３に示すように、地図画面３００において、楽曲画像部３３０が、地図画像３１０及びその一部領域の拡大画像３２０の上等に、半透過に表示する表示表現である。楽曲画像部３３０が半透過であるため、楽曲画像部３３０を通して地図画像３１０及び拡大画像３２０を視覚的に確認可能である。また、透過度は、任意に設定できるものとしてよい。
【００５４】
また、表示表現情報を、画像を動的に変化させて表示を行う動的表現の設定情報としてもよい。動的表現とは、例えば、画像を段々と大きくしていくようなアニメーションの表現（フェードイン）としたり、画像を点滅表示したりするような、時間経過で何かしら動きのある表現である。画像を段々と大きくしていくような動的表現は、図５（ａ）→図５（ｂ）→図５（ｃ）→図５（ｄ）→図５（ｅ）の流れに示すように、地図画面において、楽曲画像部４２０が、地図画像４１０の上で、段々大きくなるように表示する表現である。なお、楽曲画像部３３０、４２０の画像は、一例として、楽曲のアルバムのジャケット写真画像とした。また、表示表現情報は、画像消去時の動的表現の設定情報を含んでもよい。画像消去時の動的表現とは、例えば、画像を段々と小さくしていくようなアニメーションの表現（フェードアウト）である。
【００５５】
次いで、図６及び図７を参照して、ナビゲーション装置１で実行される楽曲再生処理を説明する。図６に、楽曲再生処理の流れを示す。図７（ａ）に、地図画面２００の楽曲画像部２２０へのタッチ入力を示す。図７（ｂ）に、地図画面２００の楽曲画像部２２０に対応する楽曲詳細表示画面５００を示す。
【００５６】
楽曲再生処理は、地図画面が表示部２２に表示されている場合に、ＨＤＤ４０等に記憶された楽曲データを読み出して楽曲再生するとともに、その楽曲に関連する画像を表示する処理である。楽曲再生の対象は、ＨＤＤ４０等に記憶された楽曲データ、ディスクドライブ５０にセットされたオーディオディスクに記憶された楽曲データ、又は通信接続部６０に接続された外部記録媒体若しくは外部端末機器に記憶された楽曲データである。但し、ディスクドライブ５０にセットされたオーディオディスクに記憶された楽曲データ、又は通信接続部６０に接続された外部記録媒体若しくは外部端末機器に記憶された楽曲データを楽曲再生する場合に、その楽曲に対応する画像表示設定データが設定されて画像表示設定データ４４に含められているものとする。
【００５７】
ナビゲーション装置１において、ナビゲーション時又はそれ以外で地図画面が表示部２２に表示されている場合に、例えば、操作部２１によりユーザからの楽曲再生処理の実行指示の操作入力が受け付けられたことをトリガとして、制御部１０により、ＨＤＤ４０から適宜読み出された楽曲再生プログラムに基づいて、楽曲再生処理が実行される。
【００５８】
先ず、楽曲再生設定画面が表示部２２に表示され、操作部２１により、ユーザから、楽曲再生に関する設定情報の操作入力が受け付けられ、設定情報として制御部１０のＲＡＭに記憶されて設定される（ステップＳ１１）。設定情報としては、これから再生する楽曲の選択情報、再生する楽曲の順番情報等を含む。
【００５９】
そして、画像表示設定データ４４が参照され、ステップＳ１１及びステップＳ２１で設定された再生対象の楽曲のうち、次に再生する楽曲に画像表示が設定されているか否かが判別される（ステップＳ１２）。次に再生する楽曲に画像表示が設定されている場合（ステップＳ１２；ＹＥＳ）、次に再生する楽曲データが、楽曲ＤＢ４２から読み出され、又はディスクドライブ５０若しくは通信接続部６０を介して外部記録媒体又は外部端末機器から読み出されてデコーダ部８０に出力されてスピーカ部９０から音声出力されることにより、その楽曲データを用いて楽曲再生開始される。さらに、画像表示設定データ４４が参照され、再生開始する楽曲に対応する画像データが画像ＤＢ４３から読み出され、その画像データの画像（楽曲画像部）が、表示部２２に表示された地図画面上に重畳表示される（ステップＳ１３）。ステップＳ１３において、画像表示設定データ４４が参照され、その画像の表示タイミング及び表示表現どおりに、画像が重畳表示される。また、ステップＳ１３における画像表示開始時から、計時部７０による経過時間がカウント開始される。
【００６０】
そして、ステップＳ１３における画像表示開始時から、計時部７０によりカウントされた経過時間が、画像表示設定データ４４の表示時間に達し、画像表示を終了するか否かが判別される（ステップＳ１４）。次に再生する楽曲に画像表示が設定されていない場合（ステップＳ１２；ＮＯ）、次に再生する楽曲データが楽曲ＤＢ４２から読み出され、又はディスクドライブ５０若しくは通信接続部６０を介して外部記録媒体又は外部端末機器から読み出されてデコーダ部８０に出力されてスピーカ部９０から音声出力されることにより、その楽曲データを用いて楽曲再生開始され（ステップＳ１５）、ステップＳ１４に移行される。なお、ステップＳ１３，Ｓ１５においては、ステップＳ１１又はＳ２６の設定に応じて、楽曲の途中からも再生開始が可能であることとする。
【００６１】
画像表示を終了しない場合（ステップＳ１４；ＮＯ）、操作部２１によりユーザからの何かしらの操作入力が受け付けられたか否かが判別される（ステップＳ１６）。画像表示を終了する場合（ステップＳ１４；ＹＥＳ）、表示部２２に表示された地図画面上から、楽曲に関連する画像が消去されて画像表示が終了され（ステップＳ１７）、ステップＳ１６に移行される。
【００６２】
操作入力がない場合（ステップＳ１６；ＮＯ）、再生中の楽曲が終了したか否かが判別される（ステップＳ１８）。再生中の楽曲が終了していない場合（ステップＳ１８；ＮＯ）、ステップＳ１４に移行される。再生中の楽曲が終了した場合（ステップＳ１８；ＹＥＳ）、ステップＳ１１において設定された再生対象の楽曲が全て再生され、楽曲の再生を終了するか否かが判別される（ステップＳ１９）。楽曲の再生を終了しない場合（ステップＳ１９；ＮＯ）、ステップＳ１２に移行される。楽曲の再生を終了する場合（ステップＳ１９；ＹＥＳ）、楽曲再生処理を終了する。
【００６３】
操作入力があった場合（ステップＳ１６；ＹＥＳ）、操作入力内容が楽曲変更であるか否かが判別される（ステップＳ２０）。例えば、後述する楽曲詳細表示画面表示中に、早送りボタン又は巻き戻しボタンの短時間押下（タッチ入力）がなされた場合に、操作入力内容が楽曲変更（楽曲の頭出しを含む）であると判別される。また、楽曲データのソースの切り替え変更指示がなされた場合に、操作入力内容が楽曲変更であると判別される。楽曲データのソースとは、ＨＤＤ４０、ディスクドライブ５０にセット又はユーザ操作入力により選択されたディスク、又は通信接続部６０に接続された外部記録媒体若しくは外部記憶装置である。ソースが切り替えられると、切り替え後のソースに記憶された楽曲データの最初の楽曲（次に再生する楽曲）の再生において、ステップＳ１２で、次に再生する楽曲に画像表示が設定されているものと判別されるものとする。つまり、ソースが切り替えられると、次の楽曲に関連する画像が表示されるものとする。操作入力内容が楽曲変更である場合（ステップＳ２０；ＹＥＳ）、操作入力に応じて再生中の楽曲の変更設定がなされ（ステップＳ２１）、ステップＳ１２に移行される。
【００６４】
操作入力内容が楽曲変更でない場合（ステップＳ２０；ＮＯ）、操作入力内容が画像表示又は画像消去であるか否かが判別される（ステップＳ２２）。例えば、画像（楽曲表示画像領域）が表示されていない場合に、画像表示に対応するタッチ入力がなされた場合、又は画像（楽曲表示画像領域）が表示中である場合に、画像消去に対応するタッチ入力（画像消去ボタンのタッチ入力）がなされた場合に、操作入力内容が画像表示又は画像消去であると判別される。操作入力内容が画像表示又は画像消去である場合（ステップＳ２２；ＹＥＳ）、操作内容に応じて、ステップＳ１３と同様にして、画像（楽曲表示画像領域）が地図画面上に重畳表示され、又は画像（楽曲表示画像領域）が地図画面上から消去され（ステップＳ２３）、ステップＳ１４に移行される。
【００６５】
操作入力内容が画像表示又は画像消去でない場合（ステップＳ２２；ＮＯ）、操作入力内容が楽曲詳細表示画面表示であるか否かが判別される（ステップＳ２４）。ステップＳ２４において、例えば、図７（ａ）に示すように、表示部２２に表示中の地図画面２００において、画像消去ボタン２２４を除く楽曲画像部２２０がユーザにタッチ入力されたか否かが判別される。
【００６６】
操作入力内容が楽曲詳細表示画面表示である場合（ステップＳ２４；ＹＥＳ）、再生中の楽曲に対応する楽曲詳細表示画面が表示部２２に表示され（ステップＳ２５）、ステップＳ１４に移行される。ステップＳ２５において、例えば、図７（ａ）に示す楽曲画像部２２０がユーザにタッチ入力されて、図７（ｂ）に示すように、楽曲詳細表示画面５００が表示部２２に表示される。楽曲詳細表示画面５００は、画像５１０と、曲名５２０と、アーティスト名５３０と、アルバム名５４０と、トラック番号５５０と、タイムコード５６０と、巻き戻しボタン５７０と、再生／一時停止ボタン５８０と、早送りボタン５９０と、を有する。
【００６７】
画像５１０は、再生中の楽曲に関連する画像であり、画像２２１と同じ画像である。曲名５２０は、再生中の楽曲の曲名である。アーティスト名５３０は、再生中の楽曲のアーティスト名である。アルバム名５４０は、再生中の楽曲が含まれるアルバムの名である。トラック番号５５０は、再生中の楽曲のアルバム中のトラック番号である。タイムコード５６０は、再生中の楽曲の再生時間である。曲名５２０、アーティスト名５３０及びアルバム名５４０は、例えば、制御部１０により、再生中の楽曲データファイルのタグ情報又はメタデータＤＢ４１から読み出されて表示に用いられる。
【００６８】
巻き戻しボタン５７０は、短時間の押下による再生中の楽曲の頭出し又は再生する楽曲の巻き戻し方向への変更と、長時間の押下による再生中の楽曲の巻き戻しと、の入力を受け付けるボタンである。再生／一時停止ボタン５８０は、楽曲の再生開始又は一時停止の押下入力を受け付けるボタンである。早送りボタン５９０は、短時間の押下による再生する楽曲の早送り方向への変更と、長時間の押下による再生中の楽曲の早送りと、の入力を受け付けるボタンである。
【００６９】
操作入力内容が楽曲詳細表示画面表示でない場合（ステップＳ２４；ＮＯ）、操作入力内容が他の操作入力内容であり、その操作入力内容に応じて、他の操作設定がなされ（ステップＳ２６）、ステップＳ１４に移行される。他の操作入力内容とは、例えば、楽曲詳細表示画面５００における巻き戻しボタン５７０又は早送りボタン５９０の押下に応じた巻き戻し又は早送り操作、再生／一時停止ボタン５８０の押下による一時停止又はその解除（再生）又はボリューム調整である。
【００７０】
以上、本実施の形態によれば、ナビゲーション時又はそれ以外での地図画面表示中に、楽曲を再生する場合に、その再生する楽曲に関連する画像を地図画面に重畳して表示する。このため、地図画面表示中の楽曲に関連する画像（楽曲画像部）の重畳表示により、楽曲に関連する情報及び楽曲再生状態（楽曲が再生された状態）を直感的に判別可能に表示できる。例えば、楽曲に関連する画像がアルバムジャケット画像である場合に、楽曲のアルバム及びその楽曲が再生状態であることをユーザが直感的に判別できる。また、楽曲に関連する画像がジャンルを示すデフォルト画像である場合に、楽曲のジャンル及びその楽曲が再生状態であることをユーザが直感的に判別できる。
【００７１】
また、楽曲に関連する画像の重畳表示は、文字表記に比べて、ユーザが短時間で楽曲に関連する情報及び楽曲再生状態を判別可能である。このため、情報提供による運転者の視点移動時間を最小限に留めることができ、車両運転の安全性を高めることができる。
【００７２】
また、地図画面上に重畳する画像を半透過に表示する。このため、地図画像の表示を妨げることなく、再生する楽曲に関連する画像を表示できる。
【００７３】
また、地図画面上に重畳する画像を動的表現により表示する。このため、地図画像の表示を妨げることなく、再生する楽曲に関連する画像を表示できるとともに、楽曲に関連する情報及び楽曲再生状態を直感的に判別可能に、より効果的に表示できる。
【００７４】
また、地図画面上に重畳表示した画像（楽曲画像部）がボタンとなり、楽曲詳細表示画面の表示指示の押下（タッチ入力）を受け付ける。このため、楽曲に関連する画像が操作ボタンとして機能できる。さらに、このタッチ入力により再生中の楽曲の楽曲詳細表示画面を表示する。このため、楽曲詳細表示画面の表示により、再生中の楽曲に関する詳細情報を表示できるとともに、再生に関する各種操作を受け付けることができる。
【００７５】
また、地図画面上に重畳表示する画像の表示位置及び表示サイズを任意に入力して設定する。このため、地図画面を妨げなく且つ容易に認識可能に、楽曲に関連する画像を表示できる。
【００７６】
また、地図画面上に重畳表示する画像の表示タイミング及び表示時間を任意に入力して設定する。このため、地図画面を妨げなく且つ容易に認識可能に、楽曲に関連する画像を表示できる。
【００７７】
また、地図画面上に重畳表示する画像は、予め用意されたデフォルトの画像データ、及びユーザにより入力された任意の画像データに対応する画像の少なくとも一つである。このため、デフォルトの画像データを用いると、楽曲に関連する画像を容易に表示でき、任意の画像データを用いると、楽曲に関連するより適切な画像を表示できる。
【００７８】
また、図２に示すように、楽曲画像部２２０が、再生状態マーク２２２及びタイムコード２２３を付加情報として含む。このため、楽曲画像部２２０（画像２２１）により、楽曲が再生開始されたことの楽曲再生状態を示すとともに、再生状態マーク２２２により、再生中の再生状態を正確に示すことができ、タイムコード２２３により、再生中の再生状態を正確に示すことができる。
【００７９】
なお、上記実施の形態における記述は、本発明に係るナビゲーション装置及びプログラムの一例であり、これに限定されるものではない。
【００８０】
上記実施の形態の楽曲再生処理では、最初に選択設定されたソース（ＨＤＤ４０、ディスクドライブ５０にセット、又は通信接続部６０に接続された外部記録媒体若しくは外部端末機器）又は操作入力により切り替えられたソースに記憶された楽曲データの楽曲再生をする構成であったが、これに限定されるものではない。例えば、楽曲再生中に、再生対象のソースが物理的に切り替えられた（ディスクドライブ５０への新しいディスクセット、又は通信接続部６０に新たに接続された外部記録媒体若しくは外部端末機器）か否かを判別し、ソースが物理的に切り替えられた場合に、物理的に切り替えられたソースの楽曲再生とその楽曲に関連する画像表示とを自動的に行う構成としてもよい。
【００８１】
また、上記実施の形態においては、ＨＤＤ４０の楽曲ＤＢ４２の楽曲データのタグ情報、又はメタデータＤＢ４１と、画像表示設定データ４４と、が別々のデータである構成としたが、これに限定されるものではない。例えば、画像表示設定データ４４の、楽曲データ（ファイル）名と画像データ（ファイル）名とを紐付ける情報を、メタデータＤＢ４１、又は楽曲ＤＢ４２の楽曲データのタグ情報に含める構成としてもよい。
【００８２】
また、上記実施の形態においては、楽曲画像部（画像）が、楽曲詳細表示画面の表示処理を実行するためのボタンである構成としたが、これに限定されるものではない。楽曲画像部（画像）が、楽曲詳細表示画面の表示処理以外の他の処理を実行するためのボタンである構成としてもよい。例えば、楽曲画像部（画像）を、表示設定画面に遷移する処理、楽曲画像部の表示位置を替える（例えば、画面中の左側→右側）処理等の処理を実行するためのボタンとしてもよい。
【００８３】
また、上記実施の形態においては、画像の表示位置及び表示サイズを設定する構成としたが、これに限定されるものではない。例えば、画像の表示位置及び表示サイズの少なくとも一方を設定する構成としてもよい。また、上記実施の形態においては、画像の表示タイミング及び表示時間を設定する構成としたが、これに限定されるものではない。例えば、画像の表示タイミング及び表示時間の少なくとも一方を設定する構成としてもよい。
【００８４】
また、上記実施の形態においては、図２に示すように、楽曲画像部２２０が、再生状態マーク２２２及びタイムコード２２３を付加情報として含む構成としたが、これに限定されるものではない。楽曲画像部（画像）には、再生状態マーク、タイムコード以外の他の情報等を付加する構成としてもよい。例えば、楽曲画像部が、最初から戻しボタン又は早送りボタン、再生／一時停止ボタン等の操作ボタンや、曲名、アーティスト名、アルバム名、トラック番号等の楽曲の詳細情報を含む構成としてもよい。
【００８５】
また、上記実施の形態の説明では、本発明に係るプログラムのコンピュータ読み取り可能な媒体としてＨＤＤ４０を使用した例を開示したが、この例に限定されない。
その他のコンピュータ読み取り可能な媒体として、フラッシュメモリ等の不揮発性メモリ、ＣＤ-ＲＯＭ等の可搬型記録媒体を適用することが可能である。
また、本発明に係るプログラムのデータを通信回線を介して提供する媒体として、キャリアウエーブ（搬送波）も本発明に適用される。
【００８６】
その他、上記実施の形態におけるナビゲーション装置１の細部構成及び詳細動作に関しても、本発明の趣旨を逸脱しない範囲で適宜変更可能である。
【図面の簡単な説明】
【００８７】
【図１】本発明に係る実施の形態のナビゲーション装置の内部構成を示すブロック図である。
【図２】画像（楽曲画像部）が重畳された地図画面を示す図である。
【図３】画像表示設定処理の流れを示す図である。
【図４】半透過の画像が重畳された地図画面を示す図である。
【図５】（ａ）〜（ｅ）は、地図画像上で段々大きくなる半透過の画像を示す図である。
【図６】楽曲再生処理を示すフローチャートである。
【図７】（ａ）は、地図画面の画像（楽曲画像部）へのタッチ入力を示す図である。（ｂ）は、地図画面の画像（楽曲画像部）に対応する楽曲詳細表示画面を示す図である。
【符号の説明】
【００８８】
１  ナビゲーション装置
１０  制御部
２０  操作表示部
３０  ナビゲーション部
４０  ＨＤＤ
４１  メタデータＤＢ
４２  楽曲ＤＢ
４３  画像ＤＢ
４４  画像表示設定データ
４５  地図データ
５０  ディスクドライブ
６０  通信接続部
７０  計時部
８０  デコーダ部
９０  スピーカ部
１００  バス
【図１】
2010043968.tif 000003
【図２】
2010043968.tif 000004
【図３】
2010043968.tif 000005
【図４】
2010043968.tif 000006
【図５】
2010043968.tif 000007
【図６】
2010043968.tif 000008
【図７】
2010043968.tif 000009